(57)【要約】【課題】光源にて発生した熱を効率良く放出することができる光源装置及び表示装置を提供することを目的とする。【解決手段】シャーシ９が備える凹部９０に光源８を支持することによって、放熱経路の短縮を図り、効率的な放熱を実現することができる。また光源８をシャーシ９に直接固定することによって、固定に使用するビスの数は、放熱部材を介してシャーシ９に固定する場合に比べて削減され、生産効率を向上させることができる。【選択図】図２
2011204391.tif 000002
【特許請求の範囲】
【請求項１】
導光板に向けて光を出射する光源と、該光源を支持するシャーシとを備える光源装置において、
前記シャーシは、一面が前記導光板と対面する平板状をなし、
前記シャーシは他面側に突出する突出部を備え、
前記突出部の一面側にて前記光源を支持していることを特徴とする光源装置。
【請求項２】
前記光源は前記導光板の一面に対向し、
前記導光板の他面における縁部に、該縁部側の厚さ寸法が中央部側よりも短い傾斜面を形成してあること
を特徴とする請求項１に記載の光源装置。
【請求項３】
前記傾斜面には鏡面加工が施してあることを特徴とする請求項２に記載の光源装置。
【請求項４】
前記突出部は、前記導光板から離反する側に窪んだ凹形に形成されており、
前記突出部の窪んだ箇所に前記光源を支持していることを特徴とする請求項２又は３に記載の光源装置。
【請求項５】
前記シャーシに貫通孔を設けてあり、
前記突出部は、前記貫通孔を介して前記導光板に対向しており、
前記光源は前記貫通孔の内側に位置すること
を特徴とする請求項２から４のいずれか一つに記載の光源装置。
【請求項６】
前記シャーシは、前記導光板と対面する平板状をなし、
前記シャーシは、前記導光板の周囲に延出しており、
前記シャーシにおける前記導光板の周囲に延出した部分に貫通孔を設けてあり、
前記突出部は前記貫通孔から突出していること
を特徴とする請求項１に記載の光源装置。
【請求項７】
前記光源はＬＥＤを備えることを特徴とする請求項１から６のいずれか一つに記載の光源装置。
【請求項８】
請求項１から７のいずれか一つに記載の光源装置と、該光源装置から照射された光を透過する表示部とを備えることを特徴とする表示装置。
【発明の詳細な説明】
【技術分野】
【０００１】
本発明は導光板を介して光を照射する光源装置及び該光源装置を備える表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源装置の光を照射して、映像を表示するように構成されている。
【０００３】
光源装置に使用される光源としては、冷陰極蛍光管又はＬＥＤ(Light Emitting Diode)が挙げられる。ＬＥＤは冷陰極蛍光管に比べて輝度の制御を綿密に行うことができるため、光源にＬＥＤを使用した液晶表示装置が多く提案されようになってきている（例えば特許文献１）。ＬＥＤを使用する光源装置は、ＬＥＤを導光板の縁部分に対向させることによって、導光板の側方からＬＥＤの光を進入させて、導光板の内部にて乱反射させ、前側へ照射する。
【０００４】
ＬＥＤが発光した場合、ＬＥＤから熱が発生する。ＬＥＤはＬＥＤ基板に実装されており、該ＬＥＤ基板は放熱部材を介して光源装置のシャーシに固定してある。そのためＬＥＤで発生した熱は、ＬＥＤ基板及び放熱部材を介してシャーシに伝導し、放出される。
【先行技術文献】
【特許文献】
【０００５】
【特許文献１】特開２００８−８９９４４号公報
【発明の概要】
【発明が解決しようとする課題】
【０００６】
しかしＬＥＤ基板と放熱部材との間及び放熱部材とシャーシとの間には、隙間が発生し易く、二つの隙間によって熱伝導が著しく妨げられ、効率良く熱を放出することができないという問題があった。
【０００７】
本発明は斯かる事情に鑑みてなされたものであり、光源にて発生した熱を効率良く放出することができる光源装置及び表示装置を提供することを目的とする。
【課題を解決するための手段】
【０００８】
本発明に係る光源装置は、導光板に向けて光を出射する光源と、該光源を支持するシャーシとを備える光源装置において、前記シャーシは、一面が前記導光板と対面する平板状をなし、前記シャーシは他面側に突出する突出部を備え、前記突出部の一面側にて前記光源を支持していることを特徴とする。
【０００９】
本発明においては、シャーシが備える突出部に光源を直接支持することで、放熱経路の短縮を図り、効率的な放熱を実現する。また光源をシャーシに直接固定することによって、固定に使用するビスの数は、放熱部材を介してシャーシに固定する場合に比べて削減され、生産効率は向上する。
【００１０】
本発明に係る光源装置は、前記光源は前記導光板の一面に対向し、前記導光板の他面における縁部に、該縁部側の厚さ寸法が中央部側よりも短い傾斜面を形成してあることを特徴とする。
【００１１】
本発明においては、放熱部は、導光板に対面した状態で導光板の縁部に対向しており、光源装置の横幅又は縦幅は、導光板の側面に光源を対面させる場合に比べて短くなる。また導光板の縁部に形成された傾斜面によって、導光板に対面した状態で光源から出射された光は傾斜面で反射し、導光板の内部に導かれる。
【００１２】
本発明に係る光源装置は、前記傾斜面には鏡面加工が施してあることを特徴とする。
【００１３】
本発明においては、傾斜面に鏡面加工を施すことによって、導光板に対面した状態で光源から出射された光は傾斜面で確実に反射する。
【００１４】
本発明に係る光源装置は、前記突出部は、前記導光板から離反する側に窪んだ凹形に形成されており、前記突出部の窪んだ箇所に前記光源を支持していることを特徴とする。
【００１５】
本発明においては、凹型の放熱部の内側に光源を支持することによって、導光板はシャーシに近接し、導光板に垂直な方向に不要な隙間が発生しない。
【００１６】
本発明に係る光源装置は、前記シャーシに貫通孔を設けてあり、前記突出部は、前記貫通孔を介して前記導光板に対向しており、前記光源は前記貫通孔の内側に位置することを特徴とする。
【００１７】
本発明においては、導光板と反対側から光源を貫通孔に挿入することによって、光源は貫通孔の内側に位置し、導光板の縁部分に近接する。
【００１８】
本発明に係る光源装置は、前記シャーシは、前記導光板と対面する平板状をなし、前記シャーシは、前記導光板の周囲に延出しており、前記シャーシにおける前記導光板の周囲に延出した部分に貫通孔を設けてあり、前記突出部は前記貫通孔から突出していることを特徴とする。
【００１９】
本発明においては、光源は放熱部と導光板の側面との間に位置し、光源から出射された光は導光板の側面から導光板の内部に確実に進入する。
【００２０】
本発明に係る光源装置は、前記光源はＬＥＤを備えることを特徴とする。
【００２１】
本発明においては、光源にＬＥＤを使用することによって、冷陰極蛍光管を使用する場合に比べて、発熱量を抑制する。
【００２２】
本発明に係る表示装置は、前述したいずれかの光源装置と、該光源装置から照射された光を透過する表示部とを備えることを特徴とする。
【００２３】
本発明においては、前述した光源装置を表示装置に使用することによって、効率的な放熱を実現する。
【発明の効果】
【００２４】
本発明に係る光源装置及表示装置にあっては、シャーシが備える放熱部に光源を支持することによって、放熱経路の短縮を図り、効率的な放熱を実現することができる。また光源をシャーシに直接固定することによって、固定に使用するビスの数は、放熱部材を介してシャーシに固定する場合に比べて削減され、生産効率を向上させることができる。
【図面の簡単な説明】
【００２５】
【図１】実施の形態１に係る表示装置の略示正面図である。
【図２】実施の形態１に係る表示装置の略示平面断面図である。
【図３】実施の形態２に係る表示装置の略示平面断面図である。
【図４】実施の形態３に係る表示装置の略示平面断面図である。
【発明を実施するための形態】
【００２６】
（実施の形態１）
以下本発明を実施の形態１に係る光源装置及び該光源装置を備える表示装置を示す図面に基づいて詳述する。図１は表示装置の略示正面図である。
【００２７】
図において１は液晶を備える矩形の表示パネルであり、該表示パネル１は、液晶への印加電圧を制御して光の透過率を調整するように構成されている。表示パネル１は、前保持枠体２と後保持枠体３（後述する図２参照）とによって、その周縁部が挟持されており、矩形枠状の前キャビネット（図示せず）に収容されている。前キャビネットは前保持枠体２及び後保持枠体３の周囲に配置されている。前キャビネットは矩形の開口を備えており、該開口の寸法は表示パネル１に対応した寸法となっている。
【００２８】
図２は表示装置の略示平面断面図である。なお図２には表示装置の右側部分のみ表示されている。
表示パネル１の後側には光源装置１００が設けてあり、該光源装置１００は表示パネル１に対向する矩形の導光板４を備えている。導光板４と表示パネル１との間において、導光板４の前側に、導光板４から出射された光を均一に拡散する矩形の拡散板６と、該拡散板６によって拡散された光を表示パネル１へ向けて集光する矩形の光学シート５とが順に設けてある。なお導光板４の縦寸法及び横寸法は、光学シート５及び拡散板６よりも大きい。
【００２９】
導光板４の後側に平板状のシャーシ９が設けてあり、該シャーシ９と導光板４とは対面している。シャーシ９の縦寸法及び横寸法は導光板４よりも大きい。シャーシ９における導光板４の左右の縁部に対向する部分に、後側に窪んだ凹部（突出部）９０が形成してあり、該凹部９０は、後側に突出している。また凹部９０は、シャーシ９の縁部の近傍に位置する。シャーシ９の縁部は前側に突出している。
【００３０】
導光板４の左右の縁部における前面には、縁部側の前後寸法（厚さ寸法）が中央部側よりも短い傾斜面４０が形成してある。該傾斜面４０の傾斜角は、後述する光源８からの光を導光板４の内部に向けて反射させるのに好適な角度に設定されている。なお傾斜面４０には鏡面加工が施してある。
【００３１】
表示装置の左右において、前記傾斜面４０と、前側に突出したシャーシ９の縁部との間に、表示装置を補強する補強杆７、７が各別に設けてある。補強杆７と後保持枠体３との間にスペーサ１０が設けてある。該スペーサ１０は、導光板４よりも前側に位置にて、導光板４側に延出している。スペーサ１０の延出部分は、後方に突出しており、スペーサ１０の突出端の前後位置は、導光板４の前面と略同じである。スペーサ１０とシャーシ９との間で、導光板４は挟持されている。
【００３２】
スペーサ１０とシャーシ９との間で、補強杆７は挟持されている。補強杆７の傾斜面４０側には、平面視鈎形の係止溝７０が形成してある。該係止溝７０は、導光板４の前面に平行であって、前後位置が導光板４の前面と略同じである係止前面７１と、導光板４の後面に平行であって、前後位置が導光板４の後面と略同じである係止後面７２と、傾斜面４０に対向しており、係止前面７１及び係止後面７２を前後方向に連結する連結面７３とを備える。連結面７３の前後寸法は、導光板４の前後寸法と略同じである。
【００３３】
導光板４の左右の縁部分は、係止溝７０に挿入されている。係止前面７１及び係止後面７２の間において、導光板４が係止されている。なお係止前面７１及び係止後面７２の左右寸法及び左右位置は、導光板４を係止溝７０に挿入した場合に、導光板４の前面の縁が係止前面７１に対向し、導光板４の後面の縁が係止後面７２に対向するように設計してある。
【００３４】
前記凹部９０の内側に複数の光源８が設けてあり、該光源８は、ＬＥＤ基板８ａと、該ＬＥＤ基板８ａに実装されたＬＥＤ８ｂとを備える。ＬＥＤ基板８ａは図示しないビスによって、凹部９０の底面に固定してある。ＬＥＤ８ｂは、ＬＥＤ基板８ａの前面に実装してあり、導光板４の縁部分に対向している。ＬＥＤ８ｂは、左右方向において、傾斜面４０の中央部に対向している。なお光源８の前後寸法は、凹部９０の底面と導光板４の後面との間の寸法よりも短い。
【００３５】
シャーシ９の後側には、前記前キャビネットに係合する箱状の後キャビネット（図示せず）が配してあり、該後キャビネットは導光板４及びシャーシ９などを収容している。
【００３６】
ＬＥＤ８ｂの発光によって発生した熱は、ＬＥＤ基板８ａを介して凹部９０に伝導し、外部に放出される。図２の矢印にて示すように、ＬＥＤ８ｂから照射された光は、後側から導光板４に進入し、鏡面加工が施された傾斜面４０に反射して、導光板４の左右方向中央部に向けて進行する。
【００３７】
実施の形態１に係る光源装置１００及び表示装置にあっては、シャーシ９が備える凹部９０に光源８を支持することによって、放熱経路の短縮を図り、効率的な放熱を実現することができる。また凹部９０の表面積は平坦に形成されている場合に比べて大きく、放熱の効率を向上させることができる。また光源８をシャーシ９に直接固定することによって、固定に使用するビスの数は、放熱部材を介してシャーシ９に固定する場合に比べて削減され、生産効率を向上させることができる。
【００３８】
また凹部９０は、導光板４に対面した状態で導光板４の縁部に対向しており、光源装置１００の横幅は、導光板４の左右側面に光源８を対面させる場合に比べて短くなり、表示装置の小型化を図ることができ、また表示装置の額縁を狭くすることができる。また導光板４の縁部に形成された傾斜面４０によって、導光板４に対面した状態で光源８から出射された光は傾斜面４０で反射し、導光板４の内部に導かれる。また傾斜面４０に鏡面加工を施すことによって、光源８から出射された光を傾斜面４０にて確実に反射させることができ、光漏れを防止することができる。またＬＥＤ８ｂを使用することによって、冷陰極蛍光管を使用する場合に比べて、発光時に発生する熱量を抑制することができる。
【００３９】
また凹部９０の内側に光源８を支持させることによって、導光板４はシャーシ９に近接し、導光板４に垂直な方向（前後方向）に不要な隙間が発生することを回避することができる。そのため光源装置１００及び表示装置の大型化を防ぐことができる。
【００４０】
また光源８は導光板４の後面に対向しており、導光板４が左右方向へ熱膨張したとしても、導光板４はＬＥＤ８ｂに接触しない。そのため導光板４の接触によるＬＥＤ８ｂの点灯の不具合は発生しない。
【００４１】
なお実施の形態１に係る光源装置１００及び表示装置は、左右に光源８を配置しているが、導光板４の上下側面に傾斜面を形成し、上下に光源８を配置しても良い。この場合、光源装置１００の縦幅は、導光板４の上下側面に光源８を対面させる場合に比べて短い。
【００４２】
（実施の形態２）
以下本発明を実施の形態２に係る光源装置１００及び該光源装置１００を備える表示装置を示す図面に基づいて詳述する。図３は表示装置の略示平面断面図である。なお図３には表示装置の右側部分のみ表示されている。
【００４３】
前記シャーシ９の内、前記導光板４の左右の縁部に対向する部分に、貫通孔９１がそれぞれ形成してあり、該貫通孔９１は、シャーシ９の縁部の近傍に位置する。貫通孔９１の後側に、凹形の放熱部（突出部）９２が配置してあり、該放熱部９２の窪んだ部分が貫通孔９１を介して導光板４に対面している。放熱部９２はビス９３によって、貫通孔９１を塞ぐようにシャーシ９の後面に固定してある。放熱部９２は、シャーシ９の後面よりも後方に突出している。
【００４４】
放熱部９２の内、貫通孔９１に対向する部分に光源８が設けてある。ＬＥＤ基板８ａは、放熱部９２の窪んだ部分に固定してある。ＬＥＤ８ｂは、貫通孔９２の内側に位置している。またＬＥＤ８ｂは、左右方向において、傾斜面４０の中央部に対向している。なお光源８の上下寸法及び左右寸法は、貫通孔９１の直径よりも小さく、光源８の前後寸法は、貫通孔９１の軸方向の寸法よりも小さい。
【００４５】
ＬＥＤ８ｂの発光によって発生した熱は、ＬＥＤ基板８ａを介して放熱部９２に伝導し、外部に放出される。図３の矢印にて示すように、ＬＥＤ８ｂから照射された光は、後側から導光板４に進入し、鏡面加工が施された傾斜面４０にて反射し、導光板４の左右方向中央部に向けて進行する。
【００４６】
実施の形態２に係る光源装置１００及び表示装置にあっては、導光板４の後側から貫通孔９１に光源８を挿入することによって、光源８は貫通孔９１の内側に位置し、導光板４の縁部分に近接する。貫通孔９１の内側に光源８を位置させることによって、光源８から照射された光に前方への指向性を持たせることができ、また導光板４の縁部分に近接させることによって、光源８から照射された光を直ちに導光板４に導くことができる。
【００４７】
また放熱部９２を後側から取り外すことによって、光源８の交換ができるため、光源８の交換のために、表示パネル１を取り外す必要がなく、光源８の保守・交換を容易に行うことができる。また表示装置内の空間を考慮した上で、放熱部９２の前後方向の寸法を変更する又はフィン形状に変更するなど、放熱部９２の設計を容易に変更することができ、光源装置１００及び表示装置の小型化及び効率的な放熱を両立させることができる。
【００４８】
また光源８は導光板４の後面に対向しており、導光板４が左右方向へ熱膨張したとしても、導光板４はＬＥＤ８ｂに接触しない。そのため導光板４の接触によるＬＥＤ８ｂの点灯の不具合は発生しない。
【００４９】
実施の形態２に係る光源装置１００及び表示装置の構成の内、実施の形態１と同様な構成については同じ符号を付し、その詳細な説明を省略する。
【００５０】
（実施の形態３）
以下本発明を実施の形態３に係る光源装置１００及び表示装置を示す図面に基づいて詳述する。図４は表示装置の略示平面断面図である。なお図４には表示装置の右側部分のみ表示されている。
【００５１】
前記シャーシ９には、導光板４よりも右側又は左側の位置において、貫通孔９５が形成してある。貫通孔９５は、導光板４の右側面又は左側面に接近している。貫通孔９５には、平面視Ｌ形の放熱部（突出部）９６が後側から挿入してある。放熱部９６は、貫通孔９５に挿入されて前方に延出する延出部９６ａと、該延出部９６ａに連なり、延出部９６ａに直角な直角部９６ｂとを備える。
【００５２】
延出部９６ａは、導光板４の右側面又は左側面に近接するように、貫通孔９５に挿入されており、貫通孔９５の内側面に当接している。直角部９６ｂは、貫通孔９５よりも後側に位置し、導光板４から離隔する方向に突出している。直角部９６ｂの延出幅は、貫通孔９５の直径よりも大きく、貫通孔９５を塞いでいる。直角部９６ｂは、シャーシ９の後面に対向し、ビス９７によってシャーシ９の後面に固定されている。
【００５３】
延出部９６ａには、光源８が設けてある。光源８のＬＥＤ基板８ａは、延出部９６ａに固定してある。光源８のＬＥＤ８ｂは、前後方向において、導光板４の右側面又は左側面の中央部に対向している。
【００５４】
ＬＥＤ８ｂの発光によって発生した熱は、ＬＥＤ基板８ａを介して放熱部９６に伝導し、直角部９６ｂから外部に放出される。図４の矢印にて示すように、ＬＥＤ８ｂから照射された光は、導光板４の右側面又は左側面に進入し、導光板４の左右方向中央部に向けて進行する。
【００５５】
実施の形態３に係る光源装置１００及び表示装置にあっては、光源は放熱部９６と導光板４の右側面又は左側面との間に位置し、光源８から出射された光は導光板４の右側面又は左側面から導光板の内部に確実に進入する。また表示装置内の空間を考慮した上で、放熱部９６の前後方向の寸法を変更する又はフィン形状に変更するなど、放熱部９６の設計を容易に変更することができ、光源装置１００及び表示装置の小型化及び効率的な放熱を両立させることができる。
【００５６】
実施の形態３に係る光源装置１００及び表示装置の構成の内、実施の形態１又は２と同様な構成については、同じ符号を付し、その詳細な説明を省略する。
【００５７】
実施の形態１〜３における光源８はＬＥＤ８ｂを備えているが、ＬＥＤ８ｂに代えて、ＬＤ(Laser Diode)、蛍光管及び白熱球などの他の発光素子を備えてもよい。
【００５８】
以上説明した実施の形態は本発明の例示であり、本発明は特許請求の範囲の記載に基づいて定められる範囲内において種々変更した形態で実施することができる。
【符号の説明】
【００５９】
１  表示パネル（表示部）
４  導光板
４０  傾斜面
８  光源
８ａ  ＬＥＤ基板
８ｂ  ＬＥＤ
９  シャーシ
９０  凹部（突出部）
９１、９５  貫通孔
９２、９６  放熱部（突出部）
１００  光源装置
【図１】
2011204391.tif 000003
【図２】
2011204391.tif 000004
【図３】
2011204391.tif 000005
【図４】
2011204391.tif 000006